(57)【要約】  複数のモバイル通信デバイスからの通信需要が時間の関数として変化するエリアにサービスするワイヤレス通信システムのためのフェーズドアレイアンテナを操作するための方法であって、複数の連続時間ごとに毎回、（１）ビーム方向の関数としてその時間に対する総モバイル通信需要密度を示す情報を得るステップと、（２）フェーズドアレイアンテナを用いて、その時間に対する総モバイル通信需要密度が他のビーム方向と比べて高い方向に向けられる通信ビームを電子的に生成するステップとを伴う方法。
2017528031.tif 000002
【特許請求の範囲】
【請求項１】
複数のモバイル通信デバイスからの通信需要が時間の関数として変化するエリアにサービスするワイヤレス通信システムのためのフェーズドアレイアンテナを操作するための方法であって、複数の連続時間ごとに毎回、
（１）ビーム方向の関数として前記時間に対する総モバイル通信需要密度を示す情報を得るステップと、
（２）前記フェーズドアレイアンテナを用いて、前記時間に対する総モバイル通信需要密度が他のビーム方向と比べて高い方向に向けられる通信ビームを電子的に生成するステップと
を含む、方法。
【請求項２】
ビーム方向の関数として前記総モバイル通信需要密度を示す情報を得るステップが、方向の範囲にわたってプローブビームを走査し、およびプローブビーム方向の関数として前記総モバイル通信需要を測定するステップを含む、請求項１に記載の方法。
【請求項３】
前記プローブビームが狭ビームである、請求項２に記載の方法。
【請求項４】
前記プローブビームが走査される前記方向の範囲が方位角および仰角の両方において変化する、請求項２に記載の方法。
【請求項５】
ビーム方向の関数として前記総モバイル通信需要密度を示す情報を得るステップが、時間の関数としてモバイル通信デバイスの予想される地理的分布についての情報を提供するデータベースを参照するステップを含む、請求項１に記載の方法。
【請求項６】
ビーム方向の関数として前記総モバイル通信需要密度を示す情報を得るステップが、前記複数のモバイル通信デバイスの地理的分布についての情報を得るステップを含む、請求項１に記載の方法。
【請求項７】
ビーム方向の関数として前記総モバイル通信需要密度を示す情報を得るステップが、方向の範囲にわたってプローブビームを走査し、およびプローブビーム方向の関数として瞬間スペクトル効率を測定するステップを含む、請求項１に記載の方法。
【請求項８】
ビーム方向の関数として前記総モバイル通信需要密度を示す情報を得るステップが、ビーム方向の関数として瞬間スペクトル効率を示す格納された情報源を参照するステップを含む、請求項１に記載の方法。
【請求項９】
前記通信ビームが狭ビームである、請求項１に記載の方法。
【請求項１０】
前記通信ビームが、前記総モバイル通信需要密度のクラスタリングに関する詳細に基づいて選択された形状を有する、請求項１に記載の方法。
【請求項１１】
前記生成された通信ビームが送信ビームである、請求項１に記載の方法。
【請求項１２】
前記生成された通信ビームが受信ビームである、請求項１に記載の方法。
【請求項１３】
前記フェーズドアレイアンテナを用いて、かつ前記複数の連続時間ごとに毎回、複数の通信ビームであって、各々が、前記時間に対する総モバイル通信需要密度が他のビーム方向と比べて高い複数の異なる方向に向けられる、複数の通信ビームを電子的に生成するステップであって、最初に言及される通信ビームが、前記複数の通信ビームのうちのものである、ステップをさらに含む、請求項１に記載の方法。
【請求項１４】
前記フェーズドアレイアンテナを用いて、かつ前記複数の連続時間ごとに毎回、複数の通信ビームであって、各々が、総モバイル通信需要密度がクラスタリングを呈する複数の異なる方向に向けられる、複数の通信ビームを電子的に生成するステップであって、最初に言及される通信ビームが、前記複数の通信ビームのうちのものである、ステップをさらに含む、請求項１に記載の方法。
【請求項１５】
前記複数の通信ビームのビームの形状が、クラスタの形状と一致するように選択される、請求項１４に記載の方法。
【請求項１６】
ビーム方向の関数として前記総モバイル通信需要密度を示す情報を得るステップが、方向の範囲にわたってプローブビームを走査し、およびプローブビーム方向の関数として前記総モバイル通信需要を測定するステップを含む、請求項１３に記載の方法。
【請求項１７】
前記プローブビームが狭ビームである、請求項１６に記載の方法。
【請求項１８】
前記プローブビームが走査される前記方向の範囲が方位角および仰角の両方において変化する、請求項１６に記載の方法。
【請求項１９】
ビーム方向の関数として前記総モバイル通信需要密度を示す情報を得るステップが、時間の関数としてモバイル通信デバイスの予想される地理的分布についての情報を提供するデータベースを参照するステップを含む、請求項１３に記載の方法。
【請求項２０】
ビーム方向の関数として前記総モバイル通信需要密度を示す情報を得るステップが、前記複数のモバイル通信デバイスの地理的分布についての情報を得るステップを含む、請求項１３に記載の方法。
【請求項２１】
ビーム方向の関数として前記総モバイル通信需要密度を示す情報を得るステップが、方向の範囲にわたってプローブビームを走査し、およびプローブビーム方向の関数として瞬間スペクトル効率を測定するステップを含む、請求項１３に記載の方法。
【請求項２２】
ビーム方向の関数として前記総モバイル通信需要密度を示す情報を得るステップが、ビーム方向の関数として瞬間スペクトル効率を示す格納された情報源を参照するステップを含む、請求項１３に記載の方法。
【発明の詳細な説明】
【技術分野】
【０００１】
関連出願の相互参照
本出願は、米国特許法第１１９（ｅ）条の下で、２０１４年７月１７日に出願された「Ｍｅｔｈｏｄ  ｆｏｒ  Ａｄａｐｔｉｖｅ  Ｂｅａｍ  Ｐｌａｃｅｍｅｎｔ  ｉｎ  Ｗｉｒｅｌｅｓｓ  Ｓｙｓｔｅｍｓ」という名称の米国仮特許出願第６２／０２５，６３８号明細書の利益を主張し、同特許の内容全体が参照により本明細書に組み込まれる。
【０００２】
本発明の実施形態は、概して、従来のアンテナ放射パターンの代わりにまたはそれに加えて狭ビームを使用するワイヤレスシステムと、ワイヤレスシステムの容量を増大するためにこれらの狭ビームを使用する方法とに関する。
【背景技術】
【０００３】
ラジオまたはテレビ放送などの多くのワイヤレスシステムは、全方向性アンテナ（すなわち、少なくとも１つの平面において３６０度放射するアンテナ）を使用する。ポイントツーポイントマイクロ波リンクなどの他のシステムは、指向性アンテナ（すなわち、円錐またはビーム内で大部分を放射するアンテナ）を使用する。商用のセルラシステムは、当初、全方向性タワーアンテナで導入された。後に、ワイヤレスオペレータは、タワー上での３方向性アンテナ（各々が方位角において１２０度および仰角において約１５〜２０度をカバーする）を使用したセクタ化されたアーキテクチャに移行した。
【０００４】
現代のセルラネットワークは、仮想標準として１つのセルあたり３つのセクタを使用する。この解決法は、過去において音声通信がワイヤレストラフィックの大半を占めていた際、ワイヤレスオペレータにとって役立った。しかし、ビデオオンデマンドなど、大量のワイヤレスデータ消費量でアプリケーションを実行するスマートフォンおよび他のスマートモバイルデバイスの出現により、ワイヤレスネットワーク容量に対する要件は、セルラシステムの能力をはるかに超えるようになった。原理上、タワー、基地局およびアンテナの追加によるセル分割は、ネットワーク容量を増大するための自然な解決法であるが、この手法の高いコストおよび新しいセルタワーに対する公衆の反対により、厳しい実用的な制限が提示される。
【０００５】
セルラネットワーク容量を増大するための別の自然な解決法は、使用される電磁波（ＥＭ）スペクトルを拡大することによるものである。ＥＭスペクトルは希少なものであり、取得に費用がかかるため、この解決法も高いコストを伴う解決法である。それに加えて、この解決法は、セルラ使用に対してごくわずかな周波数帯域のみが利用可能であるため、制限された解決法である。
【０００６】
セルラネットワーク容量を増大するための高度な信号処理方法は、多重入出力（ＭＩＭＯ）技法に基づく。これらの方法は、ＥＭ伝播の空間的多様性およびＥＭスペクトルの再利用を活用するため、基地局およびモバイルにおける複数のアンテナの使用に依存する。ＭＩＭＯは、ＷｉＭＡＸおよびＬＴＥ（ロングタームエボリューション）などの４Ｇ（第４世代）ワイヤレスネットワークで広く採用されている。残念ながら、実際には、ＭＩＭＯは、その性能が既存のセルラ環境に普及している低い信号対雑音および干渉比（ＳＮＩＲ）条件に非常に敏感であるため、大量の信号処理を必要とし、軽度の容量改善のみを提供する。
【０００７】
セルタワーまたはスペクトルを追加することなく、セルラネットワーク容量を大量に増大するための新しい方法については、参照により本明細書に組み込まれる米国特許出願第１３／４４２，５６１号明細書で説明されている。この方法は、ＭＩＭＯと同様に、ただし、信号処理なしで、セクタ内のすべての場所におけるＳＮＩＲを高め、スペクトル再利用の可能性をもたらす、狭くアジャイルな走査ビームに基づく。実際には、タワーでの狭ビームの生成は、参照により本明細書に組み込まれる米国特許第８，６１１，９５９号明細書で説明されている低価格のフェーズドアレイ技法によって可能である。しかし、米国特許出願第１３／４４２，５６１号明細書の方法は、ビーム配置および走査と、基地局とモバイルとの間の通信時間のスケジューリングとの間の精密な調整を必要とする。この調整を実装するため、基地局ソフトウェアの大幅な修正が必要とされる。
【発明の概要】
【発明が解決しようとする課題】
【０００８】
ここでは、狭ビームを使用するが、基地局ソフトウェアの大幅な修正を必要とすることなく、セルラネットワーク容量を増大するためのさらなる他の方法を開示する。
【課題を解決するための手段】
【０００９】
一般に、一態様では、本発明は、複数のモバイル通信デバイスからの通信需要が時間の関数として変化するエリアにサービスするワイヤレス通信システムのためのフェーズドアレイアンテナを操作するための方法を特徴とする。方法は、複数の連続時間ごとに毎回、（１）ビーム方向の関数としてその時間に対する総モバイル通信需要密度を示す情報を得るステップと、（２）フェーズドアレイアンテナを用いて、その時間に対する総モバイル通信需要密度が他のビーム方向と比べて高い方向に向けられる通信ビームを電子的に生成するステップとを伴う。
【００１０】
他の実施形態は、以下の特徴のうちの１つまたは複数を含む。ビーム方向の関数として総モバイル通信需要密度を示す情報を得るステップは、方向の範囲にわたってプローブビームを走査し、およびプローブビーム方向の関数として総モバイル通信需要を測定するステップを伴う。プローブビームは狭ビームであり、プローブビームが走査される方向の範囲は方位角および仰角の両方において変化する。あるいは、ビーム方向の関数として総モバイル通信需要密度を示す情報を得るステップは、（１）時間の関数としてモバイル通信デバイスの予想される地理的分布についての情報を提供するデータベースを参照するステップ、（２）複数のモバイル通信デバイスの地理的分布についての情報を得るステップ、（３）方向の範囲にわたってプローブビームを走査し、およびプローブビーム方向の関数として瞬間スペクトル効率を測定するステップ、または（４）ビーム方向の関数として瞬間スペクトル効率を示す格納された情報源を参照するステップを伴う。通信ビームは狭ビームであり、総モバイル通信需要密度のクラスタリングに関する詳細に基づいて選択された形状を有する。生成された通信ビームは、送信ビームおよび／または受信ビームである。
【００１１】
また、他の実施形態は、以下の特徴のうちの１つまたは複数も含む。方法は、フェーズドアレイアンテナを用いて、複数の連続時間ごとに毎回、複数の通信ビームであって、各々が、その時間に対する総モバイル通信需要密度が他のビーム方向と比べて高い複数の異なる方向に向けられる、複数の通信ビームを電子的に生成するステップであって、最初に言及される通信ビームが、複数の通信ビームのうちのものである、ステップも伴う。あるいは、方法は、フェーズドアレイアンテナを用いて、かつ複数の連続時間ごとに毎回、複数の通信ビームであって、各々が、総モバイル通信需要密度がクラスタリングを呈する複数の異なる方向に向けられる、複数の通信ビームを電子的に生成するステップであって、最初に言及される通信ビームが、複数の通信ビームのうちのものである、ステップを伴う。複数の通信ビームのビームの形状は、クラスタの形状と一致するように選択される。ビーム方向の関数として総モバイル通信需要密度を示す情報を得るステップは、（１）方向の範囲にわたってプローブビームを走査し、およびプローブビーム方向の関数として総モバイル通信需要を測定するステップであって、プローブビームが狭ビームであり、およびプローブビームが走査される方向の範囲が方位角および仰角の両方において変化する、ステップ、（２）時間の関数としてモバイル通信デバイスの予想される地理的分布についての情報を提供するデータベースを参照するステップ、（３）複数のモバイル通信デバイスの地理的分布についての情報を得るステップ、（４）方向の範囲にわたってプローブビームを走査し、およびプローブビーム方向の関数として瞬間スペクトル効率を測定するステップ、または（５）ビーム方向の関数として瞬間スペクトル効率を示す格納された情報源を参照するステップを伴う。
【００１２】
本発明の実施形態は、特定の時間にセルの平均容量を最大化するように、セルタワーで生成された狭ビームおよび他のビーム形状（以下、一般に「狭ビーム」と呼ぶ）を配置するための方法、および最大平均容量を維持するためになど、モバイルトラフィック（モバイル通信トラフィック）の変化に従ってビームの配置を変更するための方法を含む。
【００１３】
本発明の一実施形態によれば、少なくとも方位角および／または仰角において狭ビームを誘導する手段を有する、セルタワー上で狭ビームを生成するビーム形成デバイス、セル内のモバイルトラフィックの密度を推定するための方法、および平均トラフィックを最大化するためになど、狭ビームを配置するための方法が提供される。
【００１４】
本発明の一実施形態によれば、ビームパターンを変更する手段を有する、セルタワー上でビームパターンを生成するビーム形成デバイス、セル内のモバイルトラフィックの密度を推定するための方法、および平均トラフィックを最大化するためになど、ビームパターンを配置するための方法が提供される。
【００１５】
本発明の別の実施形態によれば、基地局から独立した制御信号を介して狭ビームを誘導する手段を有する、セルタワー上で狭ビームを生成するビーム形成デバイスが提供される。
【００１６】
本発明の別の実施形態によれば、狭ビームを誘導する手段を有する、セルタワー上で狭ビームを生成するビーム形成デバイス、基地局から独立したセル内のモバイルトラフィックの密度を推定するための方法、および平均トラフィックを最大化するためになど、狭ビームを配置するための方法が提供される。
【００１７】
本発明の別の実施形態によれば、狭ビームを誘導する手段を有する、セルタワー上で狭ビームを生成するビーム形成デバイス、基地局を使用せずにＵＥによって提供される情報からセル内のモバイルトラフィックの密度を推定するための方法、および平均トラフィックを最大化するためになど、狭ビームを配置するための方法が提供される。
【００１８】
本発明の別の実施形態によれば、狭ビームを誘導する手段を有する、セルタワー上で狭ビームを生成するビーム形成デバイス、基地局とビーム形成デバイスとの間で伝達される信号からセル内のモバイルトラフィックの密度を推定するための方法、および平均トラフィックを最大化するためになど、狭ビームを配置するための方法が提供される。
【００１９】
本発明の別の実施形態によれば、狭ビームを誘導する手段を有する、セルタワー上で狭ビームを生成するビーム形成デバイス、基地局を使用せずにＵＥによって提供される情報から、基地局とビーム形成デバイスとの間で伝達される信号からセル内のモバイルトラフィックの密度を推定するための方法、および平均トラフィックを最大化するためになど、狭ビームを配置するための方法が提供される。
【図面の簡単な説明】
【００２０】
【図１】ｅＮｏｄｅＢと呼ばれる通信ソフトウェアを実行する基地局プロセッサ、基地局ラジオバンク、ユーザ機器またはＵＥと呼ばれる移動局を含む、典型的なセルラシステムの一部であるセルの概略図を描写する。
【図２】典型的なセルラ基地局のラジオバンクの簡略化された概略図を描写する。
【図３】典型的なセルラ基地局Ｔｘ／Ｒｘモジュールの簡略化された概略図を描写する。
【図４】ＵＥがセクタにわたって均一に分布した典型的なセルラセクタの概略図を描写する。
【図５】ＵＥがセクタにわたって不均一に分布した典型的なセルラセクタの概略図を描写する。
【図６】ＵＥが不均一に分布した典型的なセルラセクタと、高密度のＵＥを有するエリアをカバーする狭いペンシル（３Ｄ）ビームでのセクタ照射との概略図を描写する。
【図７】ＵＥが不均一に分布した典型的なセルラセクタと、高密度のＵＥを有するエリアをカバーする狭いウェッジ（２Ｄ）ビームでのセクタ照射との概略図を描写する。
【図８】２Ｄ／３Ｄビーム形成能力を有し、ｅＮｏｄｅＢによってビーム配置が制御される、セルラシステムの概略図を描写する。
【図９】２Ｄ／３Ｄビーム形成能力を有し、ｅＮｏｄｅＢによっておよびｅＮｏｄｅＢから独立した追加の信号によってビーム配置が制御される、セルラシステムの概略図を描写する。
【図１０】２Ｄ／３Ｄビーム形成能力を有し、ｅＮｏｄｅＢによっておよび基地局から独立した外部のトラフィック密度検出器によってビーム配置が制御される、セルラシステムの概略図を描写する。
【図１１】２Ｄ／３Ｄビーム形成能力を有し、基地局から独立した外部のトラフィック密度検出器によってのみビーム配置が制御される、セルラシステムの概略図を描写する。
【図１２】２Ｄ／３Ｄビーム形成能力を有し、ｅＮｏｄｅＢによっておよびｅＮｏｄｅＢから独立したビーム形成サブシステムの内部のトラフィック密度検出器によってビーム配置が制御される、セルラシステムの概略図を描写する。
【図１３】２Ｄ／３Ｄビーム形成能力を有し、ｅＮｏｄｅＢから独立したビーム形成サブシステムの内部のトラフィック密度検出器によってのみビーム配置が制御される、セルラシステムの概略図を描写する。
【図１４】２Ｄ／３Ｄビーム形成能力を有し、基地局から独立した外部のトラフィック密度検出器によっておよびｅＮｏｄｅＢから独立したビーム形成サブシステムの内部のトラフィック密度検出器によってビーム配置が制御される、セルラシステムの概略図を描写する。
【図１５】２Ｄ／３Ｄビーム形成能力を有し、ｅＮｏｄｅＢによって、基地局から独立した外部のトラフィック密度検出器によって、およびｅＮｏｄｅＢから独立したビーム形成サブシステムの内部のトラフィック密度検出器によってビーム配置が制御される、セルラシステムの概略図を描写する。
【図１６】システムの動作を示すフローチャートである。
【発明を実施するための形態】
【００２１】
セルラシステムの基本的なアーキテクチャ
図１は、典型的なセルラネットワークの構成ブロックである、セルのコンポーネントを示す。ユーザ機器（ＵＥ）と呼ばれるワイヤレス端末４００は、ワイヤレスリンク（図１では図示せず）を介して基地局に接続され、基地局は、ｅＮｏｄｅＢと呼ばれるプロセッサ１００と、無線インタフェースバス３００と、ラジオバンク２００とを含む。ＵＥは、携帯電話、タブレット、自動車電話などのモバイルデバイスであるか、またはコンピュータ、監視局、セキュリティデバイスなどの固定デバイスであり得る。基地局とＵＥとの間のワイヤレスリンクは、生成され、ラジオバンク２００の基地局無線機によっておよびＵＥの内部の無線機によって管理される。プロセッサｅＮｏｄｅＢ  １００は、バックホールと呼ばれる通信リンクを介してセルラネットワークの他のノードに接続される。
【００２２】
一般に、図２でより詳細に示されるラジオバンク２００は、Ｍ個の無線送信／受信モジュール（Ｔｘ／Ｒｘモジュール）２１０（Ｍは整数）と、無線デジタルインタフェース２３０と、Ｍ個の内部バス２２０とを含む。プロセッサ１００は、無線インタフェースバス３００および内部バス２２０を介して、各Ｔｘ／Ｒｘモジュール２１０へデジタル信号を送信し、各Ｔｘ／Ｒｘモジュール２１０からデジタル信号を受信する。通常、Ｍは１〜４であるが、より多くの無線機を有するシステムも可能である。
【００２３】
図３には、簡略化されたＴｘ／Ｒｘモジュール２１０が示される。このモジュールの主な機能は、デジタル信号を無線周波数（ＲＦ）信号に変換すること（その逆も行う）、ならびにアンテナにおよびアンテナからＲＦ信号を結合することである。Ｔｘ／Ｒｘモジュールの送信機部分は、デジタルからアナログへの変換器（ＤＡＣ）および周波数アップ変換器を含み、Ｔｘ／Ｒｘモジュールの受信機部分は、周波数ダウン変換器およびアナログからデジタルへの変換器（ＡＤＣ）を含む。デジタルデュプレクサは、送信／受信経路を内部バス２２０に接続し、ＲＦフロントエンドは、送信／受信経路をアンテナに接続する。ＲＦフロントエンドは、受信機用低雑音増幅器、送信機用電力増幅器ならびにいくつかのＲＦフィルタおよびスイッチを含む。
【００２４】
ピークおよび平均レートならびにスペクトル効率
図１のような典型的なワイヤレスセルを考慮すると、ある一定の期間にわたるセルワイヤレストラフィックは、その期間の間に基地局によってサービスされるすべてのＵＥとそれぞれの基地局との間で流れる情報の総量（例えば、ビットで測定される）である。ダウンストリームのセルトラフィック（すなわち、基地局からＵＥに流れるデータ）およびアップストリームのセルトラフィック（すなわち、ＵＥから基地局に流れるデータ）がある。周波数分割二重（ＦＤＤ）システムでは、アップストリームおよびダウンストリームのセルトラフィックは、継続的に同時に流れるが、時分割二重（ＴＤＤ）システムでは、アップストリームおよびダウンストリームのトラフィックは、別個のバーストで連続して、時間的に重複することなく流れる。
【００２５】
セルトラフィックを計算または測定する期間が短い場合、結果として生じるセルトラフィック値をそれぞれの期間で除したものは、瞬間セルトラフィックビットレート（例えば、ビット／秒で測定される）または単にその期間内の任意の時間における「セルレート」に非常に近い値である。一般に、アップストリームセルレートは、ダウンストリームセルレートと異なり、各々は、時間によって大幅に異なる。例えば、夜の時間帯では、それらは通常低く、場合によってはゼロになる可能性さえあるが、昼の混雑している時間帯では、それらは、はるかに高い値に達する。それに加えて、セルレートは、非常に急激に変化する場合がある。例えば、道路の交通渋滞によって多くの自動車が完全停止を強いられ、ドライバーおよび乗客が電話を使用しようとする際には、幹線道路をカバーする基地局は、データフローの突然の増加を経験するであろう。同様に、公共の場でのスポーツまたは音楽イベントの終了は、通常、そのエリアをカバーする基地局のセルレートの大きいピークを引き起こす。
【００２６】
同様に、セクタ内のモバイルと通信するために基地局が使用するトラフィックビットレートとしてセクタレート（アップストリームおよびダウンストリーム）を定義する。瞬間セル／セクタレートは急速に大量に変化し得るため、ある一定の期間にわたって計算または測定される平均セル／セクタレートを考慮することも有益である。例えば、基地局が取り扱う瞬間セクタレートは、１時間の間に０．１ビット／Ｈｚ〜１ビット／Ｈｚで大幅に異なり得るが、平均セルレートは、０．２ビット／Ｈｚであり得、その時間の間のほとんどの時間は、瞬間セルレートが下限に近いことが想定される。一般に、基地局はセクタを同時に取り扱うため（セクタごとに別個の無線機）、瞬間および平均セルレートは、それぞれのセクタレートの合計である。従って、すべての議論および結論はセルレートにも有効であるため、セクタレートについて論じるのみで十分である。
【００２７】
理論上、瞬間セクタレートは、ワイヤレス規格および使用されるＥＭ帯域幅によって与えられる最大値ほどの高さに過ぎないものであり得る。ワイヤレスシステムの典型的な通信プロトコルは、基地局とＵＥとの間の通信で認められているデータレート（ダウンストリームおよびアップストリーム）の有限のセットを指定する。各ＵＥに対して任意の時間において使用される実際のデータレートは、それぞれのワイヤレスリンクの質に依存し、基地局によって動的に設定される。例えば、リンクのＳＮＩＲがある特定の最小数値より小さい場合、基地局は、ＵＥとのいかなるデータ転送も開始しない。リンクのＳＮＩＲが最小値より高いが次に高いレベルより低い場合、基地局は、指定される最小レートでのデータ交換を開始する。ＳＮＩＲが高いほど、使用されるデータレートはそれぞれ高くなり、各レートは、最大レートまでＳＮＩＲ帯域に対応する。最高レートのＳＮＩＲ帯域は無限である、すなわち、ＳＮＩＲのいかなる増加もより高いデータレートをもたらさない。最高のＳＮＩＲが使用される全ＥＭ帯域幅に利用可能であると想定すると、セクタ瞬間レートは最大値に達する。この時点で、基地局またはセルトラフィックは「ピーク容量」に達したと言われる。
【００２８】
実際には、現在の基地局は、ネットワークトラフィック需要が高い場合でさえ、ごくまれにのみピーク容量に達する。事実上、典型的なセクタの平均レートは、最大レートより一桁以上小さい場合が多い。この主要な欠点の主な理由は、基地局と個々のＵＥとの間のほとんどのワイヤレスリンクの低質（低いＳＮＩＲ）であり、それは、現在のワイヤレスシステムのワイヤレス信号の伝播制限がもたらす直接の結果である。第１に、信号は経路損失を受け、それは、距離と共に急激に増大する。第２に、信号は、建物、橋、木などの大地クラッタからの複数の反射に遭遇し、さらなる損失、拡散およびフェージングが生じる。第３に、隣接するセルまたは他のソースからの望まれない信号は、干渉および雑音を生じる。従って、その時間の大半は、基地局は、規格で認められているピークレートよりはるかに小さいデータレートでＵＥと通信することを強いられ、従って、小さい平均セクタレートをもたらす。
【００２９】
ＥＭスペクトルはワイヤレス通信において非常に貴重な資源であるため、どの程度効率的にスペクトルが使用されるかを計算することは大変興味深い。ピークスペクトル効率は、最大セクタレートをＥＭ帯域幅で除したものである。平均スペクトル効率は、平均セクタレートをＥＭ帯域幅で除したものである。ピークおよび平均スペクトル効率は、ビット／秒／ヘルツ（ｂ／ｓ／Ｈｚ）で測定される。ピークレートと比べて低い平均セクタレートを生じる低いＳＮＩＲ状態は、ピークスペクトル効率と比べて低い平均スペクトル効率も生じさせる。
【００３０】
平均スペクトル効率の増加
増加された平均レートは、同じＥＭ帯域幅およびネットワークインフラストラクチャに対してより多くのトラフィックを有するため、セクタ平均スペクトル効率を増加する方法を適用することは、セルラシステムオペレータおよびユーザにとって最も重要であり、有益である。スペクトル効率を増加することなく、セクタ平均レートを増加する他のいかなる方法も、費用がかかる追加のＥＭスペクトルの取得またはコストがかかるインフラストラクチャ拡張（セルタワー、基地局および関連機器の追加など）を必要とする。
【００３１】
スペクトル効率を増加するための従来の方法は、ワイヤレスシステムのある世代からより高度な世代への移行であった。このことは、より複雑な変調技法の使用が理論上システムのピークスペクトル効率を増加するという事実が動機となっている。しかし、ワイヤレスリンクＳＮＩＲにおける実用的な制限は、平均スペクトル効率のはるかに少ない改善をもたらしている。ＭＩＭＯ技法の導入でさえ、普及している同じ低いＳＮＩＲ状態により、平均スペクトル効率を増加することはなかった（ただし、単に中程度の増加はあった）。それに加えて、ＭＩＭＯは、大量の信号処理要件により、消費電力およびＵＥ通話時間における大きいペナルティを課す。最後に、処理集約型ビーム形成技術の開発および展開の多くの試みは、平均スペクトル効率の改善において、ＭＩＭＯよりもさらに成功率が低いものとなっている。従来のビーム形成技法は少数のアンテナを使用し、その名称にかかわらず、狭ビームの使用よりもむしろ干渉除去に主として依存することについて言及することが重要である。
【００３２】
米国特許出願第１３／４４２，５６１号明細書で説明されているアジャイルビームの方法は、平均スペクトル効率問題を解決するための新しい次元を導入する。狭いペンシルビームの使用は、開始時からかなり大きいＳＮＩＲをもたらす。３Ｄビームとしても知られているこれらのビームは、方位角および仰角の両方において狭い立体角にエネルギーを集中させ、ＵＥが受信する信号レベルを増加し、複数の経路の多くを排除することによってフェージングおよび拡散を低減する。そのうえ、隣接するセクタにおける狭いペンシルビームの使用は、セクタ間干渉を最小化する。しかし、セクタ全体にわたってＳＮＩＲを均一に高めるためのペナルティは、各ＵＥからの／各ＵＥへのデータフローでのビーム配置および走査のリアルタイムでの正確な調整に対する厳しい条件である。これには、ＵＥ送信および受信時間スロットの適切なスケジューリングを保証する基地局のソフトウェア能力が必要とされる。このシステムは、図４に示されるようにセクタ５００においてＵＥ  ４００が均一に分布している際には、平均スペクトル効率を増加する。
【００３３】
実際には、セクタ平均スペクトル効率を著しく増加するためにセクタ内のすべてのポイントにおいて高いＳＮＩＲを有する必要はない多くの例がある。例えば、図５に示されるように、ＵＥ  ４００の大部分がセクタ５００の少数の小さいエリアに存在する場合、セクタ平均スペクトル効率を高めるには、それらのエリアのＳＮＩＲを増加するのみで十分である。同様に、ＵＥがセクタの異なるエリアに全くまたはほとんど存在しない場合、そのエリアを低いＳＮＩＲでカバーしても、平均スペクトル効率に対する影響はほとんどない。例えば、ＵＥがいくつかの小さいエリアに分類される図５では、ＥＭ放射５０１でセクタをカバーする（低いＳＮＩＲを至るところで提供する）ことにより、非常に低いセクタ平均スペクトル効率が生じる。しかし、図６のようにＵＥが存在するエリアに狭いペンシルビーム５０２を配置することにより、ＵＥの大部分がより良いＳＮＩＲを経験するため、セクタスペクトル効率が明確に著しく改善される。ビームによってカバーされたエリアの外側の少数のＵＥは、個々の低い平均スペクトル効率での動作を継続するが、セクタ平均スペクトル効率へのそれらの寄与は小さい。ＵＥ  ４００が均一に分布している図４の事例で狭ビームを配置する際には、この効果はかなり低減される。セクタの至るところに配置された狭いペンシルビームは、多くのＵＥを高いＳＮＩＲエリアの外側に放置し、従って、セクタ平均スペクトル効率の増加は大きくはない。
【００３４】
図７は、方位角において狭いが、仰角において広い、ウェッジビーム５０３でローカルＳＮＩＲを高める試みの事例を示す。２Ｄビームとしても知られているこれらのビームは、ＵＥの大部分が小さいエリアに分類される際、セクタ平均スペクトル効率の上昇においてペンシル（３Ｄ）ビームほど効果的ではない。
【００３５】
一般に、多くのＵＥが少数の小さいエリアに位置する不均一なトラフィック状況の場合、ＵＥ分布と一致する不均一なＳＮＩＲセクタ分布は、均一なＳＮＩＲ分布またはＵＥ分布と一致しない不均一なＳＮＩＲ分布より高い平均スペクトル効率を生じさせると結論付けられる。この観察は、ＳＮＩＲ分布の作成に使用されるビームが狭いという暗黙の想定の下で本発明の基礎である。そうでなければ、ＳＮＩＲ改善はわずかである。そのうえ、セクタ内のＵＥ分布が時間と共に変化する場合、以前の最適条件にＳＮＩＲ分布を維持すると、低い平均スペクトル効率が確実に生じる。しかし、新しいＵＥ分布は依然として多くのＵＥが小さいエリアに分類された不均一なものであると想定して、新しいＵＥ分布と一致するようにＳＮＩＲ分布を更新することにより、高い平均スペクトル効率が維持される。この概念を利用するため、次に、狭ビームを生成するための方法およびＵＥ分布と一致するＳＮＩＲ分布を作成するように狭ビームを配置するための方法について説明する。
【００３６】
従来のタワーアンテナによって生成された広ビーム
従来の基地局アンテナは、１２０度セクタ全体をカバーし、セクタの外側では最小（理想的にはゼロ）である、指向性放射パターンまたはビームを生成する。本明細書の目的のため、これらのビームは「広い」と呼ばれる。従来の１２０度セルラセクタの小さい部分（例えば、セクタの１／１０またはそれより小さいエリア）のみをカバーするであろうアンテナ放射パターンは、通常の広ビームの代わりに使用される場合、「狭」ビームと呼ばれる。そのような狭ビームは、パラボラアンテナまたは二次元アンテナアレイで生成することができる。
【００３７】
広ビームを生成する典型的な従来のセクタアンテナは、アンテナ要素の１つまたは少数の垂直柱で構築され、各要素は、１２０度セクタより広いビームで放射する。ケーブルおよび移相器のネットワークは、すべてのアンテナ要素からのビームの重ね合わせであるセクタアンテナの全体的な放射パターンが１２０度セクタ内にほぼ完全に含まれるように、単一の無線周波数（ＲＦ）入力からこれらのアンテナ要素に供給する。
【００３８】
セルタワー上の高い場所などのアンテナの有利な地点から、セクタの地上エリアの方に放射を向けるには、仰角において比較的狭い角度であるが、方位角においてより広い角度に放射を集中させる必要がある。アンテナ要素の垂直柱が典型的なセクタアンテナで使用されるのはこのためである。結果として生じるセクタアンテナの開口は、方位角で大きく、仰角で小さい。アンテナ要素の広ビームは、狭い角度内でのみ仰角において建設的に干渉し、その狭い角度の外側の仰角において破壊的に干渉する。また、アンテナ要素の広ビームは、広い角度にわたる方位角において建設的に干渉し、広い角度の外側の方位角において破壊的に干渉する。
【００３９】
実際には、こうして生成された広ビームは、地上レベルにおいて不均一なＳＮＩＲでセクタをカバーし、セクタ境界から離れたセクタの内側のある場所では最大であり、セクタ境界においてはるかに小さい。このことは、隣接するセクタおよびセル間の相互干渉を最小化するために必要である。前の項目での論考の通り、非常に多数の事例では、セクタアンテナからのＳＮＩＲ分布はＵＥ分布とは一致せず、それにより、小さいセクタスペクトル効率がもたらされる。事実上、よくある事例では、ＵＥ分布がセクタ境界にＵＥグループを含む際には、スペクトル効率はさらに低くなる。
【００４０】
明確には、固定された広ビームでの従来のセクタアンテナの使用は、スペクトル効率にとって最適ではない。これは、大部分のセクタが実際に経験する低い平均スペクトル効率をさらに説明する。この状況の軽度の改善は、機械的／電気的な傾斜、回転およびファニング技術を使用することによって達成される。傾斜の事例では、アンテナは、仰角においてアンテナ放射パターンを傾斜することによってタワーから遠いまたはタワーに近い地上へのピークＳＮＩＲ投影の位置を変更するための機械的または電気機械的手段を用いて設計される。ＲＥＴ（遠隔電気傾斜計）と呼ばれるこれらのアンテナのいくつかは、離れた場所から電気的に調整することができる。よくあるＲＥＴ設計は、所望の効果を得るためになど、アンテナ要素へのＲＦ供給ネットワークの電気特性を変更するメカニズムを作動させるために電気モータがアンテナ本体上に配置されたものである。同様の電気機械設計は、パニングおよびファニング効果と呼ばれるアンテナ本体全体の方位角における物理的回転（すなわち、方位角におけるビーム幅の変更）をもたらすことができる。
【００４１】
送信および受信光線
アンテナ放射パターンを説明するための厳密な方法は、アンテナから伝播する平面波の発射角（ＡＯＤ）を考慮することによるものである。一般に、送信されるいかなる三次元アンテナ放射パターンも、平面波の重ね合わせに分解することができ、各々は、様々なＡＯＤ上のアンテナ電磁（ＥＭ）力の一部分を伝える。これらの平面波は、「光線」とも呼ばれる。一般に、これらの光線の強度は、ＡＯＤによって異なり、アンテナが焦点を合わせるように設計される立体角の外側では無視できるようになるか、またはゼロとなる。従来のセルラアンテナの場合、１２０度セクタ全体をカバーすることにより、無視できないエネルギーを有するすべての光線のＡＯＤは、タワー上のアンテナ位置からのセクタの視野と同じ大きさの立体角を形成する。いくつかのセルラアンテナは、より小さいエリア範囲に対する、標準の１２０度セクタより狭いビームを生成するように設計される。
【００４２】
通常、アンテナは、相互電気システムとして構築される、すなわち、アンテナは、同一の送信および受信放射パターンを有する。従って、ＡＯＤで送信された各平面波に対し、対応する同一の平面波は、それぞれのＡＯＤと等しい到来角（ＡＯＡ）で受信することができる。送信および受信電磁エネルギー間のこの相互関係がここで論じられるすべての事例で有効であると想定すると、本明細書の残りの部分において、簡単にするためにＡＯＤおよび送信光線のみに言及するが、以下のすべての論考、議論および請求項は、ＡＯＡおよび受信光線も対象とする。
【００４３】
ある特定のＡＯＤに沿ったアンテナ利得は、それぞれのＡＯＤにおける送信光線の電力と、考慮中のアンテナと同じ総ＥＭ電力である、すべての方向に等しく放射する（等方性放射）仮説上のアンテナからの任意の方向における仮説上の送信光線の電力との比率として定義される。通常、アンテナ利得は、電力比の常例に従って、デシベル（ｄＢ）で測定される。この利得が等方性放射体に対して計算されることを明確に示すため、アンテナ利得のｄＢ単位は、デシベル等方性または「ｄＢｉ」と呼ばれる。セクタアンテナに使用されるアンテナ要素は、３〜６ｄＢｉの最大利得を有する。１２の要素を有する典型的な１２０度セクタアンテナは、１５〜１７ｄＢｉの最大利得を有する。９６のアンテナ要素（例えば、１２×８）を有する平面アレイは、約２５ｄＢｉの最大利得を有する。マイクロ波ポイントツーポイントリンクにおいて使用されるパラボラアンテナは、３０〜４０ｄＢｉと同じ高さの最大利得を有する。
【００４４】
ある方向におけるアンテナ利得の概念は、ビームおよびビームの方向の厳密な定義を可能にする。本明細書の目的のため、ビームは、特定の立体角の内側のアンテナ放射パターンであり、特定の立体角は、アンテナの中心に頂点を有し、３つの条件を満たす。これらの条件は、ａ）最大アンテナ利得を有する方向はこの立体角の内側にあること、ｂ）この立体角内の他のすべての方向におけるアンテナ利得は最大利得より３ｄＢを超えないで小さいこと、およびｃ）この立体角の外側のすべての方向におけるアンテナ利得は最大利得より３ｄＢを超えて小さいことである。最大利得に対する方向は、ビーム方向を定義する。
【００４５】
光線の伝播
従来のセルラアンテナによって生成された広ビームは、大きいＡＯＤ変動を有する光線を含む。セクタ内に障害物がなく、すべてのＵＥが見通し線（ＬＯＳ）上に位置するまれな事例では、近いＡＯＤを有する光線グループのみが各ＵＥに到達する。各ＵＥに対する信号損失は、広い立体角における送信エネルギーの拡散が原因で大きいが、いずれかのＵＥに到達するすべての光線はほぼ同一の経路を有するため、複数経路フェージングはほとんどまたは全くない。しかし、さらによくある事例では、光線反射をもたらす自然のおよび人造のクラッタをセクタが含む際、ならびに／あるいは建物または天然障害物の後ろなど、ＵＥのいくつかが見通し線上に位置しない（ＮＬＯＳ）際には、通常、いくつかの光線グループが各ＵＥに到達する。各グループ内では、光線は同様の経路を有するが、異なるグループからの光線はむしろ異なる経路を有する。これにより、損失に加えて、強力な複数経路フェージングが生じる。損失およびフェージングは、セクタにおけるＳＮＩＲに対する有害作用である。
【００４６】
狭ビームは、放射（アンテナ）要素の二次元アレイの使用を含むいくつかの方法によって生成することができる。狭ビームの光線は、自然に、小さいＡＯＤ変動のみを有する。結果的に、これらの光線は、ＬＯＳまたはＮＬＯＳ状況で、およびクラッタの有無にかかわらずセクタにおいて、同様の経路を通じて伝播する。狭ビームにおける損失は、空間拡散がより少ないため、広ビームにおける損失より小さく、複数経路フェージングは、ＵＥに到達する異なる経路がより少ないため、低減される。
【００４７】
ビームポインティング
以前に定義されるように、ビームの方向は、アンテナ利得が最大であるアンテナ位置から考慮される方向である。均等な方法で述べられるように、ビームは、最大アンテナ利得を有する方向である方向を「向く」。
【００４８】
ビームの方向は、単なる機械的手段によって、機械的手段と電気的手段とを混合することによって、または単なる電気的手段によって変更することができる。例えば、従来のセクタアンテナは、アンテナ広ビームがセクタ内の好都合な場所を向くように、アンテナ仰角または傾斜の調整を可能にする機械固定具でセルラタワー上に設置される。ビームを向けるためのこの単なる機械的方法は、非常にまれな調整に限定される。ＲＥＴアンテナは、前に説明されるように、機械的手段と電気的手段とを混合することによって、仰角におけるビームポインティング調整の例を提供する。これらのアンテナのビーム方向調整は、ゆっくりではあるが、頻繁に実行することができる。
【００４９】
ＲＡＤＡＲで使用されるものなどのフェーズドアレイは、単なる電気的手段によって、非常に急激に多くの方向に向けることができる狭い３Ｄビームを生成する。「ビームステアリング」としても知られているフェーズドアレイのビーム方向の移動は、アンテナ要素に印加される信号の位相を変更することによって達成される。一般に、フェーズドアレイは、独立して誘導することが可能な複数の独立した狭ビームを生成することができる。この理由から、フェーズドアレイは、ＳＮＩＲ値が高い小さいエリアを有する地上における不均一なＳＮＩＲパターンを作成できるため、ワイヤレス通信システムにおけるインフラストラクチャアンテナとしての使用に適している。これは、ワイヤレストラフィックパターンが不均一である際に平均スペクトル効率を増加するための効果的な方法であることが前に示されている。
【００５０】
ビーム配置制御
図８は、典型的なセルラネットワークにおけるセルのコンポーネントを示し、図１からのラジオバンク２００は、ビーム形成およびビームステアリング機能を追加したＢＦＳラジオバンクと呼ばれるより複雑なラジオバンク６００に置き換えられている。内部ビーム形成アクティブアンテナシステム６１０は、ビーム形成を提供し、内部ビーム配置制御６２０は、ビームステアリングを提供する。ビーム形成アクティブアンテナシステム６１０がフェーズドアレイの場合、ビーム配置制御６２０は、６１０によって送信または受信された信号に対する位相および振幅値を提供する。
【００５１】
ｅＮｏｄｅＢ  １００は、制御ライン６２１上で送信された適切な制御信号を介して、ビームのポインティング方向および地上におけるそれぞれのビーム配置を制御する。これらの制御信号は、様々な既定のビーム位置に対応する単純なコードであり得る。この事例では、ビーム形成のためのすべての位相および振幅情報は、ＢＦＳラジオバンク６００に既に存在している。制御信号の別の例は、ビームを生成するためにビーム形成アクティブアンテナシステム６１０が必要とする位相および振幅数値の全セットである。ビーム配置制御ブロック６２０は、内部制御ライン６１１を介してビーム形成アクティブアンテナシステム６１０を制御する。
【００５２】
ｅＮｏｄｅＢ  １００、無線インタフェースバス３００、ＢＦＳラジオバンク６００および制御ライン６２１を含む図８の基地局は、ＢＦＳラジオバンクによって生成されたビームの方向を選択するために、図１の基地局で必要とは限らない追加の機能を必要とする（ブロック１００、３００および６００）。前に論じられるように、これらのビームの配置は、ワイヤレストラフィックが不均一である際のセクタ平均スペクトル効率に対する重要な結果を導く。従って、可能な限り高い平均スペクトル効率を得るために、最適なビーム配置を見出すことが重要である。そのうえ、この最適なビーム配置は、トラフィックパターンと一致するように適応的に変更しなければならない。
【００５３】
正常な動作として、ｅＮｏｄｅＢは、それがサービスするＵＥ  ４００へのあらゆるリンクに対する詳細なＳＮＩＲおよびデータレート情報を有する。従って、ｅＮｏｄｅＢは、任意の時間における瞬間および平均スペクトル効率を計算することができる。そのうえ、ｅＮｏｄｅＢは、これらのパラメータの履歴を記録し、１日のうちの数時間にわたっておよびより長い期間にわたって（季節の変化を含む）それらの統計を分析することができる。そのような記録および分析は、自動的にまたは人間の介入と併せて行うことができる。それに加えて、これらの統計とＵＥの物理的な位置との相関を実行することができる。ｅＮｏｄｅＢは、ＵＥによって報告されるＧＰＳ座標または三角測量技法など、ＵＥの物理的な位置を見出すためのいくつかの手段を有する。そのような統計的計算の最終的な目標は、トラフィックパターンのマップを生成し、トラフィックパターンを同様のＳＮＩＲパターンと一致させるようになど、ビームを向けることである。
【００５４】
トラフィックパターンマップを迅速かつ容易に得るための方法は、フェーズドアレイによって生成されるものなど、狭ビームを使用することによるものである。このビームがセクタ全体をゆっくりと走査する一方で、ｅＮｏｄｅＢは、各ビーム位置に対してこのビームによってカバーされるエリアのスペクトル効率を計算する。１回または数回のそのような走査の後、ｅＮｏｄｅＢは、ビームがスペクトル効率を増加する方向、すなわち、ワイヤレストラフィックがクラスタ化する方向（例えば、通信密度がピークまたは最大値を経験する方向）を決定する。次いで、ｅＮｏｄｅＢは、すべての利用可能なビームを可能な限りトラフィックが大きい多くの方向に向ける。トラフィックパターンマップを生成するため、１日のうちの異なる時間および１年のうちの異なる日に、同じ手順を行うことができる。これらのマップが利用可能となった後、さらなる計算なしでビーム配置をプログラムすることができる。しかし、平均スペクトル効率が悪化した場合、前と同じ手順でトラフィックマップを更新しなければならない。
【００５５】
図８の基地局は、上記で説明される方法または同様のものによるビーム配置をすべて担当する。しかし、図９に示されるように、制御ライン６２１に加えて制御ライン６２２を有するビーム配置制御６２０を設計することが可能である。この事例では、基地局以外のシステムがビームの形成およびポインティングを行うことができる。
【００５６】
外部のトラフィック密度検出器
上記で説明される、スペクトル効率モニタリングを伴うビーム走査の方法、およびトラフィックマップを生成するための統計的計算の方法は、セクタのトラフィック密度を検出するための方法の一般的クラスの例である。そのような方法をサポートするハードウェア、ファームウェア、ソフトウェアまたはそれらの任意の混合物は、「トラフィック密度検出器」と呼ばれる。図８の基地局は、ビームの正しい配置を決定するために、ｅＮｏｄｅＢベースのトラフィック密度検出器を暗黙のうちに含む。図９のシステムを適切に動作させるため、外部のトラフィック密度検出器７００は、図１０のように接続しなければならない。外部のトラフィック密度検出器の例は、ＵＥで実行中のソフトウェアからリンクの質およびデータレート値を受信する独立サーバ（ｅＮｏｄｅＢの一部ではない）である。報告される情報は、瞬間値または一定の期間の平均であり得る。ＵＥは、セルラシステムの通常のクライアントと同じように、標準チャネルを介してサーバと通信する。
【００５７】
図１０のように、ビームの配置がｅＮｏｄｅＢおよび外部のトラフィック密度検出器の両方の制御下にある場合、ｅＮｏｄｅＢおよび外部のトラフィック密度検出器が互いに対抗してビームの誘導を試みる際には、不安定な動作ループを回避するように注意を払わなければならない。この潜在的な問題に対する解決法は、ｅＮｏｄｅＢおよび外部のトラフィック密度検出器に異なるビームの制御を割り当てることである。例えば、ｅＮｏｄｅＢは、１日のうちの様々な時間においてトラフィックが大きい、いくつかの既知の場所に少数のビームを配置するようにプログラムすることができ、外部のトラフィック密度検出器は、セクタの一部分で予測不可能な高いトラフィック密度が起こった際の追加のビーム配置に対して使用することができる。
【００５８】
外部のトラフィック密度検出器が使用される場合、もはやｅＮｏｄｅＢをビーム成形およびビームステアリング機能の制御に関与させる必要はない。図１１は、無線インタフェースバス３００のみを介してｅＮｏｄｅＢがＢＦＳラジオバンク６００に接続されるシステムを示す。この事例では、外部のトラフィック密度検出器７００は、システムのすべてのビーム制御機能を実行する。この構成は、実際には、ｅＮｏｄｅＢを変更することなく、単純に外部のトラフィック密度検出器を追加することによって、（高いスペクトル効率を得るために）図１の従来のシステムを改造してＢＦＳラジオバンクを設置し、最適なビーム形成およびステアリング機能を導入するために重要である。
【００５９】
内部のトラフィック密度検出器
図１２は、ＢＦＳラジオバンク６００の内側に存在する、内部のトラフィック密度検出器６４０と呼ばれる、トラフィック密度検出器を使用する可能性を示す。このブロックは、内部ライン６２３を介してビーム配置制御ブロック６２０を制御する。内部のトラフィック密度検出器は、ワイヤレストラフィックについての情報源を必要とする。ＢＦＳラジオバンクの内側で利用可能な唯一のそのような情報源は、無線インタフェースバス３００である。事実上、この基地局に対するすべてのセルラトラフィックに関する完全な情報は、無線インタフェースバス３００を通過する。信号分割器６３０は、この情報を得て、ライン６４１を介してそれを内部のトラフィック密度検出器６４０に送信するために必要である。また、分割器６３０は、ライン６３１を介してビーム形成アクティブアンテナシステム６１０にも接続される。
【００６０】
トラフィックパターンを無線インタフェースバス信号から取り出すことは複雑な動作であり、前に説明されるように、ｅＮｏｄｅＢで実行することができる。従って、内部のトラフィック密度検出器の例は、トラフィックパターンを検出するためのｅＮｏｄｅＢの最小機能のレプリカである。しかし、無線インタフェースバスを通じて流れる生の無線データの密度をモニタするなど、より簡単な方法が利用可能である。
【００６１】
図１３、１４および１５は、内部および外部のトラフィック密度検出器ならびにｅＮｏｄｅＢの様々な組合せによってビーム配置制御が提供される様々なシステム構成を示す。以前に示される実施形態の対応するコンポーネントの説明は、これらの図にも適用される。以前の通り、様々なトラフィック密度検出器間の衝突を回避するため、制御の適切な計画が必要である。
【００６２】
例示的なシステムの動作については、図１６に示されている。セルラ通信が提供されている地理的領域に位置する複数ビームフェーズドアレイは、需要密度が集中するエリアを向く複数の誘導可能ビームを生成する。定期的または既定の時間に、システムは、アレイによって生成された複数の通信ビームの位置を更新するためのプロセスを開始する（ステップ８００）。第１に、システムは、その需要密度についての最新の情報を得る（ステップ８０２）。そのことは、対応する時間スロットに対して測定された需要密度を示すデータ履歴を反映する格納された情報を参照することによって、または外部の情報源からもしくは内部で動作中に基地局によって収集されたデータから、その時間の需要密度の直接測定を得ることによって遂行することができる（上記で詳細に説明される異なる手法を参照）。
【００６３】
その時間帯に対する需要密度の地理的または空間的分布を決定すると、システムは、最も需要の大きいエリアまたは需要が集中するエリアを識別し（ステップ８０４）、次いで、システムは、それらのエリアにサービスするために個々の通信ビームを向ける（ステップ８０６）。
【００６４】
ある程度の時間が経つと、このプロセスは、その後の時間の需要密度の地理的または空間的分布の変化に基づいて、他のより適切なエリアにビームを誘導するために繰り返される。
【００６５】
このプロセスは、一定の間隔でまたは既定の不規則な時間に実行することができる。需要密度が継続的に変化する環境においてシステムが動作している場合、一定の間隔でシステムを更新することが適切であり得る。その一方で、需要密度の著しい変化が通常は１日、１週間または１ヶ月のうちのある時間に起こることをデータ履歴が示す場合、システムは、それらの特定の時間に更新手順を実行するようにプログラムすることができる。
【００６６】
他の実施形態は、以下の請求項の範囲内にある。例えば、前に示されるように、セルの平均容量を最大化するために使用される狭ビームは、全体的なモバイル通信密度の空間的分布内で起こるクラスタリングのタイプまたは形状に適合するように選択された異なる形状、サイズおよび／または極性を有することができる。
【図１】
2017528031.tif 000003
【図２】
2017528031.tif 000004
【図３】
2017528031.tif 000005
【図４】
2017528031.tif 000006
【図５】
2017528031.tif 000007
【図６】
2017528031.tif 000008
【図７】
2017528031.tif 000009
【図８】
2017528031.tif 000010
【図９】
2017528031.tif 000011
【図１０】
2017528031.tif 000012
【図１１】
2017528031.tif 000013
【図１２】
2017528031.tif 000014
【図１３】
2017528031.tif 000015
【図１４】
2017528031.tif 000016
【図１５】
2017528031.tif 000017
【図１６】
2017528031.tif 000018
【国際調査報告】
2017528031.tif 000019
2017528031.tif 000020